(57)【要約】【課題】居室単位の避難安全検証を対象として、避難安全検証法の適用の可否を速やかに判定することが可能で、従ってまた、避難安全性能自体を迅速に判断することが可能な居室の避難性能設計支援システムにおける表示構造を提供する。【解決手段】モニター表示は、２つの検討可変値の「検討初期値」及び「検討用ピッチ値」の入力結果が表示される表示セル部７と、行列の表形式で表示される演算結果表示部８とから構成され、演算結果表示部では、行表示部欄８ａには、第１検討可変値の第１検討初期値と、これに第１検討用ピッチ値を順次加算した複数の第１検討積算値とが表示され、列表示部欄８ｂには、第２検討可変値の第２検討初期値と、これに第２検討用ピッチ値を順次加算した複数の第２検討積算値とが表示され、行表示部欄の各欄と列表示部欄の各欄とが交差する各欄からなる結果欄８ｃには、「居室避難の判定」の可否が表示される。【選択図】図３
2018120415.tif 000002
【特許請求の範囲】
【請求項１】
居室内人員が火災で避難するときの避難行動に対する居室の安全性を検討するために、居室内人員の避難に関係する居室の設計データを入力するための入力装置と、該入力装置から入力された該設計データを、所定の避難性能解析プログラムで解析して演算結果を出力するための演算装置と、該入力装置からの入力結果や該演算装置から出力される演算結果を表示するモニターを有して、居室の避難性能に関する設計を支援するための居室の避難性能設計支援システムであって、
上記設計データにかかる項目は、居室の「面積」、居室内における居室内人員の「歩行速度」、並びに、居室内における「在室者密度」の３種類が固定値であると共に、居室における「最大歩行距離」、居室の「出口幅の合計」、居室の「内装仕様」、並びに、居室の「平均天井高さ」の４種類が可変値であり、
検討のために、上記可変値から選択されるいずれか２つの検討可変値それぞれには、演算のために入力される「検討初期値」及び「検討用ピッチ値」が個別に設定され、
上記所定の避難性能解析プログラムで解析して得られる上記演算結果にかかる項目は、「居室避難の判定」を含み、
上記モニターにおける表示は、２つの上記検討可変値の上記「検討初期値」及び上記「検討用ピッチ値」それぞれの上記入力結果が個別に表示される表示セル部と、行列の表形式で表示される演算結果表示部とから構成され、
該演算結果表示部では、行列で左右方向のいずれか一方に各欄が縦方向へ並ぶ行表示部欄には、いずれか一方の第１検討可変値の第１検討初期値と、該第１検討初期値に対して第１検討用ピッチ値を順次加算した複数の第１検討積算値とが表示され、行列で上下方向のいずれか一方に各欄が横方向へ並ぶ列表示部欄には、他方の第２検討可変値の第２検討初期値と、該第２検討初期値に対して第２検討用ピッチ値を順次加算した複数の第２検討積算値とが表示され、これら行表示部欄の各欄と列表示部欄の各欄とが交差する各欄からなる結果欄には、上記「居室避難の判定」の可否が表示され、
上記表示セル部それぞれに対しては、上記モニターにおける表示を上記入力装置で選択して上記検討可変値の上記「検討初期値」及び上記「検討用ピッチ値」の入力が可能であることを特徴とする居室の避難性能設計支援システムにおける表示構造。
【請求項２】
前記結果欄は、「可」の結果と「否」の結果とが領域として判別されるように、「可」が表示される欄と「否」が表示される欄とが視認により判別可能に表示されることを特徴とする請求項１に記載の居室の避難性能設計支援システムにおける表示構造。
【発明の詳細な説明】
【技術分野】
【０００１】
本発明は、居室単位の避難安全検証を対象として、避難安全検証法の適用の可否を速やかに判定することが可能で、従ってまた、避難安全性能自体を迅速に判断することが可能であると共に、コスト削減や設計の自由度等、当該検証法のメリットを活かすことが可能な居室の避難性能設計支援システムにおける表示構造に関する。
【背景技術】
【０００２】
火災時の避難者の安全を検証するための技術として、特許文献１及び２が知られている。特許文献１の「避難安全性能評価方法、避難安全性能評価プログラム及びそのプログラムを記録した記録媒体、設計図、建築物、計算過程図もしくは避難安全性能評価計算書」は、専門家でなくても、より実態にあった避難完了時点における煙層下端高さの予測が可能となる避難安全性能評価方法を提供することを課題とし、建築物の設計段階もしくは、建築物の設計段階、または既存建物のプラン変更もしくは用途変更の段階における、建築物の火災時の避難安全性能を評価する方法であって、避難完了時間を基に煙層下端高さを算出し、避難完了時点における煙層下端高さと煙層高さの避難安全上の許容値を比較することにより、避難安全性能評価を行うようにしている。
【０００３】
特許文献２の「建物の安全避難のための設備のプランニング方法、プランニングシステム、及びプランニング用のプログラム」は、建物の安全避難のための設備条件の変更と安全性の検証とを自動的に処理することができ、かつその条件を変更する際の優先順位を指定することを課題とし、建物内の火災室から周囲への煙の広がり具合をシミュレーションし、火災発生時より、各室及び通路内でその天井からの煙の降下で避難者の呼吸が困難になる迄の煙降下時間を計算し、火災発生時より、任意の室からの居室者が室外へ或いはその室のある階から避難口へ脱出するのに要する避難時間と比較して、煙降下時間が避難時間より長いときには、設備条件を可とし、煙降下時間が避難時間よりも短いときには、設備条件を不可として、設備条件を改善して上記行程を繰り返すことで、複数の方策を用意するとともに、これら対して、経済性等に基づいて予め序列を付与して、機械的に設備条件の改善を試みるようになっている。
【先行技術文献】
【特許文献】
【０００４】
【特許文献１】特開２００６−８５５８０号公報
【特許文献２】特開２００７−３３４６８３号公報
【発明の概要】
【発明が解決しようとする課題】
【０００５】
平成１２年の建築基準法の改定に伴い、建築基準法の防火避難関連の性能評価による規定として、避難安全検証法が導入された。この避難安全検証法は、火災時の避難経路を、従来の仕様と避難距離との関係で制限するのではなく、安全に避難できる性能を検証すれば距離は問わないという性能設計に関する検証法である。
【０００６】
すなわち、避難安全検証法とは、建築基準法の告示で規定された、建物の避難安全性能に関する検証方法を言い、建築基準法では、基本的に避難安全に関して仕様規定を定めているが、こちらの検証法を用いて避難安全性能を確認できれば、仕様規定にとらわれない性能設計による計画が可能となる。具体的には、建物内の各所から避難先までの移動時間が、火災によって発生する煙の降下時間より短いことを確認し、建物利用者が安全に避難できることを検証するものである。
【０００７】
避難安全検証法は、（１）居室単位の避難安全検証、（２）階避難安全性能検証、（３）全館避難安全性能検証の３段階に分かれる。そのうち、（１）居室単位の避難安全検証は、設計初期段階で、検証法の適用可否を判断するために、図４に示すように居室避難の安全性能について検証を行う。例えば、室ａの扉ｂの幅を適切に設計すると、建物利用者ｃが出口ｄで滞留することなく室（出火室）ａ外へ移動でき避難時間が短くなるため、煙が降下するまでに室外へ安全に避難ができ、このような設計であれば、避難安全検証法の適用が可能である。
【０００８】
避難安全検証法（基準法施行令）を適用して、避難安全性能を有していることが検証された場合、建築基準法の防火避難関連の一部の規定を緩和することができる。これにより、例えば、直通階段（階段室）ｅまでの歩行距離を長くしたり防火区画を広くするなど、設計の自由度を向上させることができる。また、避難階段数の削減や階段幅の縮小、排煙設備等の削減などによって、コストダウンを図ることができる。
【０００９】
しかしながら、避難安全検証法では、（１）居室単位の避難安全検証だけであっても、従来の設計方法に比べて設定できる条件が多く、それら条件が互いに関連し合うため、トライアンドエラーを繰り返すだけでは、避難安全検証法の適用の可否を判断するのに多大な時間を要するという課題があった。このため、避難安全性能自体を迅速に判断することができず、結果的に設計に時間がかかってしまうという課題があった。
【００１０】
そしてまた、多大な時間を要するなどの理由で、避難安全検証法の利用が図られない場合、当該検証法によって得られる恩恵である、コスト削減や設計の自由度に関するメリットを享受することができないという問題があった。さらにまた、結果として避難安全性能を満足した場合でも、余裕度が分からないため、過剰設計になっている可能性があるという課題もあった。
【００１１】
本発明は上記従来の課題に鑑みて創案されたものであって、居室単位の避難安全検証を対象として、避難安全検証法の適用の可否を速やかに判定することが可能で、従ってまた、避難安全性能自体を迅速に判断することが可能であると共に、コスト削減や設計の自由度等、当該検証法のメリットを活かすことが可能な居室の避難性能設計支援システムにおける表示構造を提供することを目的とする。
【課題を解決するための手段】
【００１２】
本発明にかかる居室の避難性能設計支援システムにおける表示構造は、居室内人員が火災で避難するときの避難行動に対する居室の安全性を検討するために、居室内人員の避難に関係する居室の設計データを入力するための入力装置と、該入力装置から入力された該設計データを、所定の避難性能解析プログラムで解析して演算結果を出力するための演算装置と、該入力装置からの入力結果や該演算装置から出力される演算結果を表示するモニターを有して、居室の避難性能に関する設計を支援するための居室の避難性能設計支援システムであって、上記設計データにかかる項目は、居室の「面積」、居室内における居室内人員の「歩行速度」、並びに、居室内における「在室者密度」の３種類が固定値であると共に、居室における「最大歩行距離」、居室の「出口幅の合計」、居室の「内装仕様」、並びに、居室の「平均天井高さ」の４種類が可変値であり、検討のために、上記可変値から選択されるいずれか２つの検討可変値それぞれには、演算のために入力される「検討初期値」及び「検討用ピッチ値」が個別に設定され、上記所定の避難性能解析プログラムで解析して得られる上記演算結果にかかる項目は、「居室避難の判定」を含み、上記モニターにおける表示は、２つの上記検討可変値の上記「検討初期値」及び上記「検討用ピッチ値」それぞれの上記入力結果が個別に表示される表示セル部と、行列の表形式で表示される演算結果表示部とから構成され、該演算結果表示部では、行列で左右方向のいずれか一方に各欄が縦方向へ並ぶ行表示部欄には、いずれか一方の第１検討可変値の第１検討初期値と、該第１検討初期値に対して第１検討用ピッチ値を順次加算した複数の第１検討積算値とが表示され、行列で上下方向のいずれか一方に各欄が横方向へ並ぶ列表示部欄には、他方の第２検討可変値の第２検討初期値と、該第２検討初期値に対して第２検討用ピッチ値を順次加算した複数の第２検討積算値とが表示され、これら行表示部欄の各欄と列表示部欄の各欄とが交差する各欄からなる結果欄には、上記「居室避難の判定」の可否が表示され、上記表示セル部それぞれに対しては、上記モニターにおける表示を上記入力装置で選択して上記検討可変値の上記「検討初期値」及び上記「検討用ピッチ値」の入力が可能であることを特徴とする。
【００１３】
前記結果欄は、「可」の結果と「否」の結果とが領域として判別されるように、「可」が表示される欄と「否」が表示される欄とが視認により判別可能に表示されることを特徴とする。
【発明の効果】
【００１４】
本発明にかかる居室の避難性能設計支援システムにおける表示構造にあっては、居室単位の避難安全検証を対象として、避難安全検証法の適用の可否を速やかに判定することができ、従ってまた、避難安全性能自体を迅速に判断することができると共に、コスト削減や設計の自由度等、当該検証法のメリットを活かすことができる。
【図面の簡単な説明】
【００１５】
【図１】本発明に係る居室の避難性能設計支援システムにおける表示構造の好適な一実施形態が適用される居室の避難性能設計支援システムを説明する説明図である。
【図２】本発明に係る居室の避難性能設計支援システムにおける表示構造の好適な一実施形態を実行する際の、居室の避難性能設計支援システムにおける作業フローを説明する説明図である。
【図３】本発明に係る居室の避難性能設計支援システムにおける表示構造の好適な一実施形態を示す説明図である。
【図４】居室避難の安全性能について行われる検証の概略を説明する説明図である。
【発明を実施するための形態】
【００１６】
以下に、本発明にかかる居室の避難性能設計支援システムにおける表示構造の好適な一実施形態を、添付図面を参照して詳細に説明する。居室の避難性能設計支援システム１は図１に示すように、キーボード２ａやマウス２ｂなどの入力装置２と、ＣＰＵやメモリを搭載し、インストールされた所定の避難性能解析プログラム３を実行する演算装置４と、モニター５と、プリンタ６とから構成され、演算装置４には、入力装置２やモニター５、プリンタ６が接続されている。
【００１７】
所定の避難性能解析プログラム３は、居室内人員が火災で避難するときの避難行動に対する居室の安全性を検討し評価するために組まれたもので、例えば、上述した平成１２年の建築基準法の改定に伴って、建築基準法の防火避難関連の性能評価による規定として導入された避難安全検証法など、当該建築基準法に基づく避難安全検証法そのものを実行するプログラムである。
【００１８】
居室の避難性能設計支援システム１では、入力装置２は、居室内人員の避難に関係する居室の設計データを入力するために用いられ、演算装置４は、入力装置２から入力された設計データを、所定の避難性能解析プログラム３で解析して演算結果を出力するために用いられ、モニター５は、入力装置２からの入力結果や演算装置４から出力される演算結果を表示するために用いられ、プリンタ６は、モニター５に表示された情報を印刷するために用いられて、居室の避難性能に関する設計を支援するようになっている。
【００１９】
居室の避難性能設計支援システム１の作業フローは、図２に示すように、まず、当該設計支援システム１を起動し（ステップ１）、次いで、所定の避難性能解析プログラム３を起動する（ステップ２）。その後、入力装置２で演算装置４に設計データを入力する。
【００２０】
この際、後述するように、モニター５に表示された４つの表示セル部７（図３参照）それぞれに、設計データ中の可変値のうちの、いずれか２つの検討可変値の「検討初期値」及び「検討用ピッチ値」を入力装置２で入力する（ステップ３）。これにより、入力した設計データに対する演算結果がモニター５に表示される（ステップ４）。ステップ３とステップ４のループは、再度入力し直すことで、何回でも実行することができる。
【００２１】
入力装置２で入力される設計データにかかる項目は、少なくとも、３種類の固定値と４種類の可変値を含む。固定値は、居室の「面積」、居室内における居室内人員の「歩行速度」、並びに、居室内における「在室者密度」である。
【００２２】
可変値は、居室における「最大歩行距離」、居室の「出口幅の合計」、居室の「内装仕様」、並びに、居室の「平均天井高さ」である。「内装仕様」については、不燃、準不燃、難燃のいずれかが変更可能に選択される。
【００２３】
４種類の可変値のうち、検討のために選択されるいずれか２つの検討可変値それぞれには、演算のために入力される「検討初期値」及び「検討用ピッチ値」が個別に設定される。図３に示した例では、検討可変値として、「最大歩行距離」及び「平均天井高さ」が選択され、「最大歩行距離」に対する「検討用ピッチ値」は、増分０．５ｍとされ、「平均天井高さ」に対する「検討用ピッチ値」は、増分−０．０５ｍとされている。
【００２４】
これら設計データを所定の避難性能解析プログラム３で解析することにより、「居室避難時間」及び「煙等降下時間」が算出され、これら算出値から「居室避難の判定」が演算結果にかかる項目として得られる。「居室避難の判定」は、避難安全検証法の適用の可否の判定に対応する。
【００２５】
本発明にかかる居室の避難性能設計支援システムにおける表示構造の要旨は、図３に示したモニター５における表示構成にある。図３は、本実施形態に係る居室の避難性能設計支援システムにおける表示構造の好適な一実施形態を示す説明図である。
【００２６】
図示するように、モニター５における表示は、２つの検討可変値（「最大歩行距離」及び「平均天井高さ」）の「検討初期値」及び「検討用ピッチ値」それぞれの入力結果が個別に表示される表示セル部７と、行列の表形式で表示される演算結果表示部８とから構成される。
【００２７】
表示セル部７それぞれに対しては、表計算ソフトで周知のように、モニター５における表示を入力装置２で選択することで、検討可変値の「検討初期値」及び「検討用ピッチ値」のこれら表示セル部７への入力が可能となっている。他方、検討可変値以外の他の設計データは、図３に示したモニター表示の前画面にて、演算装置４への入力が受け付けられるようになっている。
【００２８】
演算結果表示部８では、行列で左右方向のいずれか一方に各欄が縦方向へ並ぶ行表示部欄８ａには、いずれか一方の第１検討可変値（図示例では、「最大歩行距離」）の第１検討初期値（図示例では、５ｍ）と、第１検討初期値に対して第１検討用ピッチ値（図示例では、０．５ｍ）を順次加算した複数の第１検討積算値（５ｍ〜１４．５ｍ）とが表示される。
【００２９】
また、行列で各欄が横方向に並ぶ列表示部欄８ｂには、他方の第２検討可変値（図示例では、平均天井高さ）の第２検討初期値（図示例では、３ｍ）と、第２検討初期値に対して第２検討用ピッチ値（図示例では、−０．０５ｍ）を順次加算した複数の第２検討積算値（３ｍ〜１．７５ｍ）とが表示される。
【００３０】
さらに、これら各行と各列とが交差する各欄からなる表形態の結果欄８ｃには、「居室避難の判定」の可・否（○・×）が表示される。
【００３１】
ここで、「居室避難の判定」が「○（可）」であるときには、避難安全検証法の適用の可否の判定は「可」であり、「居室避難の判定」が「×（否）」であるときには、避難安全検証法の適用の可否の判定は「否」である。
【００３２】
「居室避難の判定」は、図示例にあっては、第１検討可変値である「最大歩行距離」が１１．５ｍかつ第２検討可変値である「平均天井高さ」が３ｍである場合から、右下がりの線形性を呈して、「最大歩行距離」が５ｍかつ「平均天井高さ」が２．３５ｍである場合への連なりを境界として、当該境界を含む下側の領域で、判定結果が○（可）であり、それ以外の領域で、判定結果が×（否）となり、従って、避難安全検証法の適用可能範囲が一目で理解し得るようになっている。
【００３３】
結果欄８ｃは、「○（可）」の結果と「×（否）」の結果とが領域として判別されるように、「○（可）」が表示される欄と「×（否）」が表示される欄とがそれぞれ視認により判別可能に表示される。例えば、各欄内の地色を変える（図中、×の欄を梨地で示す）、文字色を代えるなどして、判別可能とされる。これにより、「居室避難の判定」の可否、すなわち、避難安全検証法の適用の可否の数値的範囲が一層容易に視認される。
【００３４】
上述したいずれか２つの検討可変値については、上述した「最大歩行距離」と「平均天井高さ」の組み合わせに限らず、「最大歩行距離」と「出口幅の合計」の組み合わせなど、４種類の可変値をどのように組み合わせてもよい。
【００３５】
以上説明した本実施形態にかかる居室の避難性能設計支援システムにおける表示構造にあっては、居室内人員が火災で避難するときの避難行動に対する居室の安全性を検討するために、居室内人員の避難に関係する居室の設計データを入力するための入力装置２と、入力装置２から入力された設計データを、所定の避難性能解析プログラム３で解析して演算結果を出力するための演算装置４と、入力装置２からの入力結果や演算装置４から出力される演算結果を表示するモニター５を有して、居室の避難性能に関する設計を支援するための居室の避難性能設計支援システム１であって、設計データにかかる項目は、居室の「面積」、居室内における居室内人員の「歩行速度」、並びに、居室内における「在室者密度」の３種類が固定値であると共に、居室における「最大歩行距離」、居室の「出口幅の合計」、居室の「内装仕様」、並びに、居室の「平均天井高さ」の４種類が可変値であり、検討のために、可変値から選択されるいずれか２つの検討可変値それぞれには、演算のために入力される「検討初期値」及び「検討用ピッチ値」が個別に設定され、所定の避難性能解析プログラム３で解析して得られる演算結果にかかる項目は、「居室避難の判定」を含み、モニター５における表示は、２つの検討可変値の「検討初期値」及び「検討用ピッチ値」それぞれの入力結果が個別に表示される表示セル部７と、行列の表形式で表示される演算結果表示部８とから構成され、演算結果表示部８では、行列で左右方向のいずれか一方に各欄が縦方向へ並ぶ行表示部欄８ａには、いずれか一方の第１検討可変値の第１検討初期値と、第１検討初期値に対して第１検討用ピッチ値を順次加算した複数の第１検討積算値とが表示され、行列で上下方向のいずれか一方に各欄が横方向へ並ぶ列表示部欄８ｂには、他方の第２検討可変値の第２検討初期値と、第２検討初期値に対して第２検討用ピッチ値を順次加算した複数の第２検討積算値とが表示され、これら行表示部欄８ａの各欄と列表示部欄８ｃの各欄とが交差する各欄からなる結果欄８ｃには、「居室避難の判定」の可否が表示され、表示セル部７それぞれに対しては、モニター５における表示を入力装置２で選択して検討可変値の「検討初期値」及び「検討用ピッチ値」の入力が可能であるように構成したので、表示セル部７と演算結果表示部８が表示されたモニターにおける、表示セル部７への「第１及び第２検討初期値」及び「第１及び第２検討用ピッチ値」の入力によって、演算結果表示部８に「居室避難の判定」の可否についての演算結果が表示され、特にモニター５におけるその表示を、表形式とした演算結果表示部８に可否の領域として出現させることができ、当該モニター５における表示構造によって簡便かつ容易に「居室避難の判定」の対比を試みることができて、居室単位の避難安全検証を対象として、当該「居室避難の判定」の結果から、即座に避難安全検証法の適用の可否を判定することができ、従ってまた、解析した居室の避難安全性能自体も迅速に判断することができると共に、当該避難安全検証法を適用できる場合に活かすことができるコスト削減や設計の自由度等のメリットを享受することができる。
【００３６】
また、モニター５における表示は、「検討初期値」や「検討用ピッチ値」を入れ替えたり、あるいは検討可変値を変えることにより、種々に変化させることができて、居室の避難性能設計を適切に支援することができる。
【００３７】
結果欄８ｃは、「可」の結果と「否」の結果とが領域として判別されるように、「可」が表示される欄と「否」が表示される欄とが視認により判別可能に表示されるので、「居室避難の判定」に対する検討可変値の値の適否を一目で理解することができる。
【００３８】
以上、本発明を実施形態により説明したが、本発明は本願中で説明した実施形態に限定されるのではなく、発明の趣旨から逸脱しない範囲で変形可能であることはもちろんである。例えば、初期の設計データによる判定結果を表示する画面を別に設け、この判定が「否」である場合に、図３に示した画面を別途立ち上げるようにしても良い。その場合、２つの検討可変値の「検討初期値」及び「検討用ピッチ値」を入力し、結果欄８ｃで「可」となる第１及び第２検討可変値の組み合わせから１つを選択して、これを新たな設計用データとして計算し直しても良い。
【符号の説明】
【００３９】
１  居室の避難性能設計支援システム
２  入力装置
３  所定の避難性能解析プログラム
４  演算装置
５  モニター
７  表示セル部
８  演算結果表示部
８ａ  行表示部欄
８ｂ  列表示部欄
８ｃ  結果欄
【図１】
2018120415.tif 000003
【図２】
2018120415.tif 000004
【図３】
2018120415.tif 000005
【図４】
2018120415.tif 000006